(57)【要約】      （修正有）【課題】シンプルな構成で全体として一個の絵柄を構成することが容易な扇子を提供する。【解決手段】扇子１は、貫通孔部と、他の扇片部材に形成された貫通孔部に挿通されるガイド帯板部と、ガイド帯板部の一端に形成され、前記貫通孔部の孔幅よりも幅広な係止幅広部と、を備えた複数の扇片部材１０、２０、３０、４０が重ね合わされており、複数の扇片部材をずらして扇形状に開いた状態では、貫通孔部の孔縁と係止幅広部の外縁とが当接する。【選択図】図１
0003225079.tif 000002
【実用新案登録請求の範囲】
【請求項１】
扇片部材が複数重ね合わされ、重ね合わされた各扇片部材を貫く回動軸部によって各扇片部材が互いに回動自在に組み合わされて構成されている扇子であって、
前記扇片部材には、
貫通孔部を備える本体部と、
帯板形状で前記貫通孔部に挿通可能な寸法のガイド帯板部と前記ガイド帯板部の一端に形成され、前記貫通孔部の孔幅よりも幅広な係止幅広部とを備えた、前記本体部と連続している連結部と、
が含まれた扇片部材が含まれており、
前記連結部が前記本体部側に折り返された状態で、前記ガイド帯板部は、重ね合わせ方向において奥側に隣接した他の扇片部材の本体部に形成された前記貫通孔部に挿通されており、
前記複数の扇片部材を前記回動軸部を中心にずらして扇形状に開いた状態で、前記貫通孔部の孔縁と、当該貫通孔部に挿通されたガイド帯板部の一端に形成された前記係止幅広部の外縁と、が当接した状態となっている
ことを特徴とする扇子。
【請求項２】
重ね合わされた最奥の扇片部材の裏面には、当該裏面に露出する前記ガイド帯板部及び前記係止幅広部を被覆する被覆片部が設けられている
請求項１に記載の扇子。
【請求項３】
前記ガイド帯板部の他端には、前記複数の扇片部材を閉じて重ね合わせた状態で当該ガイド帯板部が挿通された貫通孔部の孔縁に当接する、開き方向規制部が形成されている
請求項１又は請求項２に記載の扇子。
【考案の詳細な説明】
【技術分野】
【０００１】
本考案は、複数の扇片部材が重ね合わされて構成される扇子に関する。
【背景技術】
【０００２】
従来、例えば特許文献１に開示されているような、一方の側縁を山折れ、他方の側縁を谷折れにした係止代を備えた扇形片（扇片部材）を重ね合わせ、谷折れの係止代と隣接する扇片の山折れの係止代とが係合する紙製扇子が知られている。
【先行技術文献】
【特許文献】
【０００３】
【特許文献１】特許第６０６２２０６号公報
【考案の概要】
【考案が解決しようとする課題】
【０００４】
しかしながら、特許文献１のような扇子にあっては、扇子に折り返された係止代分の厚みが余計に出てしまい外観が悪く、また折り返しの段差により扇子を開いた際に隣接する扇形片との絵柄合わせが困難で、例えば扇子全体でひとつの絵柄を表現することが困難であった。
【０００５】
本考案は、簡素な構造で薄型であり、隣接する扇片部材との間で絵柄合わせが容易であって外観の見栄えに優れた扇子を提供することを目的とする。
【課題を解決するための手段】
【０００６】
本考案は、扇片部材が複数重ね合わされ、重ね合わされた各扇片部材を貫く回動軸部によって各扇片部材が互いに回動自在に組み合わされて構成されている扇子であって、前記扇片部材には、貫通孔部を備える本体部と、帯板形状で前記貫通孔部に挿通可能な寸法のガイド帯板部と前記ガイド帯板部の一端に形成され、前記貫通孔部の孔幅よりも幅広な係止幅広部とを備えた、前記本体部と連続している連結部と、が含まれた扇片部材が含まれており、前記連結部が前記本体部側に折り返された状態で、前記ガイド帯板部は、重ね合わせ方向において奥側に隣接した他の扇片部材の本体部に形成された前記貫通孔部に挿通されており、前記複数の扇片部材を前記回動軸部を中心にずらして扇形状に開いた状態で、前記貫通孔部の孔縁と、当該貫通孔部に挿通されたガイド帯板部の一端に形成された前記係止幅広部の外縁と、が当接した状態となっていることを特徴とする扇子である。
【０００７】
かかる構成にあっては、扇片部材の意匠部分において連結部分がなく、扇片部材に余分な厚みが生じないため、極めて簡素な構造で構成される利点があると共に、隣接する扇片部材同士の絵柄合わせが容易となり、美観に優れるという利点がある。
【０００８】
また、重ね合わされた最奥の扇片部材の裏面には、当該裏面に露出する前記ガイド帯板部及び前記係止幅広部を被覆する被覆片部が設けられている構成が提案される。
【０００９】
かかる構成とすることにより、前記ガイド帯板部及び前記係止幅広部は、本体部に対して連結部を折り返して重ねた状態となること、かつ、上述のような被覆片部によって露出しない構成となることから、扇子を開いた状態において外観を美しく見せることができる。なお、かかる構成はあくまでも望ましい構成であり、ガイド帯板部や係止幅広部が、扇子を開いた際に視認可能に露出する構成を積極的に排除するものではない。
【００１０】
さらに、前記ガイド帯板部の他端には、前記複数の扇片部材を閉じて重ね合わせた状態で当該ガイド帯板部が挿通された貫通孔部の孔縁に当接する、開き方向規制部が形成されている構成が提案される。
【００１１】
かかる構成とすることにより、前記扇片部材が扇子を開く方向とは逆の方向に回動してしまうことを防止することができ、絵柄等の見せたい部位のみが確実に視認可能となる。
【考案の効果】
【００１２】
本考案にかかる扇子は、簡素な構造で薄型であり、隣接する扇片部材との間で絵柄合わせが容易であって外観の見栄えに優れた効果がある。
【図面の簡単な説明】
【００１３】
【図１】実施例にかかる、開いた状態の扇子を示す正面図である。
【図２】実施例にかかる各扇片部材のブランクを示す平面図である。
【図３】実施例にかかる扇子を閉じた状態を示し、（ａ）は正面図であり、（ｂ）は背面図である。
【図４】実施例にかかる扇子の貫通孔近傍の部分拡大説明図であり、（ａ）は扇子を閉じた状態を示し、（ｂ）は扇子を開いた状態を示すものである。
【考案を実施するための形態】
【００１４】
以下に本考案を具体化した実施例を詳細に説明する。なお、本考案は、下記に示す実施例に限定されることはなく、適宜、設計変更が可能である。
【００１５】
扇子１は、図１に示すように、４枚の扇片部材１０，２０，３０，４０が重ね合わされ、重ね合わされた方向に沿って貫かれた回動軸部５０によって各扇片部材１０，２０，３０，４０が互いに回動自在に組み合わされて構成されている。なお、回動軸部５０は、例えば公知のハトメ部材を採用することができる。
【００１６】
扇片部材１０，２０，３０，４０は、図２に示すように、例えば一枚の紙製ブランクを所定形状とされたものであり、重ね合わせ方向に沿って最奥の第一の扇片部材１０と、最も手前の第四の扇片部材４０と、中間に配された第二の扇片部材２０、第三の扇片部材３０とで各々が異なる形状や絵柄とされている。以下、個別に説明する。なお、適宜、扇子１の回動軸部５０側を基端側（下側）とし、反対側を先端側（上側）として説明する。なお、扇片部材１０，２０，３０，４０に使用する素材は、紙材に限定されず、他の素材でもよく、例えば透明性プラスチック材が用いられてもよい。
【００１７】
第一の扇片部材１０は、細長扇形状の本体部１１と、回動軸部５０が配設される軸孔部１２と、軸孔部１２の先端側の位置に離間して配された長円形状の貫通孔部１５と、軸孔部１２寄りの端縁部に設けられた板形状の被覆片部１３とを備えている。そして、本体部１１の表面に、意匠面１１ａが形成されている。
【００１８】
第二の扇片部材２０と第三の扇片部材３０はそれぞれ、細長扇形状の本体部２１，３１と、回動軸部５０が設けられる軸孔部２２，３２と、軸孔部２２，３２寄りの端縁部に配設される連結部２３，３３と、軸孔部２２，３２の先端側の位置に離間して配された長円形状の貫通孔部２５，３５とを備えている。なお、本体部２１，３１の表面には、意匠面２１ａ，３１ａが形成されている。
【００１９】
さらに、上述の連結部２３，３３にはそれぞれ、湾曲帯形状のガイド帯板部２７，３７が設けられている。そして、ガイド帯板部２７，３７の一端（図２中左端部）には、貫通孔部１５，２５の孔幅よりも幅広な係止幅広部２８，３８が形成されている。これに対し、ガイド帯板部２７，３７の他端（図２中右端部）には、貫通孔部１５，２５の孔幅よりも幅広な開き方向規制部２９，３９が突出状に形成されている。なお、こうした連結部２２，２３は、後述するように、本体部２１，３１との境界を折り返し縁として、本体部２１，３１側に折り返した状態で組付けられる。
【００２０】
第四の扇片部材４０は、細長扇形状の本体部４１と、回動軸部５０が設けられる軸孔部４２と、軸孔部４２寄りの端縁部に設けられた連結部４３とを備えている。なお、扇片部材４０は扇子１にあって最も手前に位置する扇片部材であり、本体部４１の表面全体が意匠面４１ａとされている。
【００２１】
また、上述の連結部４３には、扇片部材２０，３０の連結部２３，３３と同様に、湾曲帯形状のガイド帯板部４７が設けられている。そして、ガイド帯板部４７の一端（図２中左端部）には、貫通孔部３５の孔幅よりも幅広な係止幅広部４８が形成されている。これに対し、ガイド帯板部４７の他端（図２中右端部）には、貫通孔部３５の孔幅よりも幅広な開き方向規制部４９が突出状に形成されている。なお、こうした連結部４１は、後述するように、本体部４１との境界を折り返し縁として、本体部４１側に折り返した状態で組付けられる。
【００２２】
次に、扇子１の組み立て構造について説明する。
扇子１は、奥側から順に扇片部材１０，２０，３０，４０と重ね合わされ、扇片部材１０の貫通孔部１５に扇片部材２０のガイド帯板部２７が挿通され、扇片部材２０の貫通孔部２５に扇片部材３０のガイド帯板部３７が挿通され、扇片部材３０の貫通孔部３５に扇片部材４０のガイド帯板部４７が挿通されてなる。なお、各ガイド帯板部２７，３７，４７を各貫通孔部１５，２５，３５に挿通するときは、係止幅広部２８，３８，４８を一度折り曲げた上で各貫通孔部１５，２５，３５に挿通し、通過させた後、折り曲げた係止幅広部２８，３８，４８を拡開させる。
【００２３】
このように構成された扇子１は、図３に示すように、扇子１を閉じた状態では、表側において扇片部材４０の意匠面４１ａが視認でき、裏側において扇片部材１０の本体部１１の裏面側が視認可能となる。そしてこのとき、扇片部材１０の裏面に露出する扇片部材２０のガイド帯板部２７等は、本体部１１との境界縁で折り返された被覆片部１３によって被覆される。具体的には、被覆片部１３によって被覆される部位は、貫通孔部１５と、扇片部材２０のガイド帯板部２７と、開き方向規制部２９となる。かかる構成とすることにより、美観が損なわれないと共に、他の物が引っ掛ってガイド帯板部２７等が破損したりすることもない。
【００２４】
そして、扇子１が閉じた状態にあっては、図４（ａ）に示すように、貫通孔部１５，２５，３５の孔縁に開き方向規制部２９，３９，４９が当接する。これにより、各扇片部材１０，２０，３０，４０が逆方向に開いてしまうことが防止される。また、各扇片部材１０，２０，３０，４０の意匠部位には、従来構成のように連結用の折り返し部がないため、スマートでシンプルなものとなり、収納も容易である。
【００２５】
これに対し、扇子１が完全に開いた状態にあっては、図４（ｂ）に示すように、貫通孔部１５，２５，３５の孔縁に係止幅広部２８，３８，４８の外縁が当接する。これにより、適正位置まで各扇片部材１０，２０，３０，４０が回動し、各意匠面１１ａ，２１ａ，３１ａ，４１ａが精緻に連続して視認可能となる。また、各扇片部材１０，２０，３０，４０を連結するにあたり、のり付けも不要である。また、係止幅広部２８，３８，４８を貫通孔部１５，２５，３５に係止させて回動角度を規制する構造であるため、強度も十分に確保できる。なお、意匠面１１ａ，２１ａ，３１ａ，４１ａにおいては、互いに隣接する領域で折り返し部位がないため、絵柄合わせが極めて容易となる。また、連結部２３，３３，４３を下側から折り返して各扇片部材１０，２０，３０，４０を連結する構成であるため、連結部扇子１が開いた状態で、係止幅広部２８，３８，４８は表側からも裏側からも視認することができず、外観の見栄えに優れている。
【００２６】
ところで、第二の扇片部材２０と第三の扇片部材３０とにおいては、図２に示すように本体部２１，３１の基端部においてテーパー形状に幅狭となっているため、図１に示すように開いた状態としたときでも、回動軸部５０周りにおいてはみ出さない構造となっている。
【００２７】
上記した実施例において、各部の寸法形状は適宜自由に選択可能である。また、例えば被覆片部１３や連結部２３，３３，４３の形状は特に限定されない。また、貫通孔部１５，２５，３５の形状も、例えば三日月形状等であっても構わない。また、扇片部材の枚数は、３枚であったり５枚以上であったりしても構わない。また、意匠面１１ａ，２１ａ，３１ａ，４１ａのみならず、本体部１１，２１，３１，４１の裏面側に別の意匠が施されていてもよい。また、回動軸部５０が扇片部材１０，２０，３０，４０と一体的に形成されたものであってもよい。ところで、扇片部材１０，２０，３０，４０の枚数が増えた扇子１になると、各扇片部材１０，２０，３０，４０の幅寸法がそれぞれ小さくなり、扇子１を開いた際にガイド帯板部２７，３７，４７や係止幅広部２８，３８，４８が部分的に露出して視認可能となる場合がある。ただし、本考案は、ガイド帯板部２７，３７，４７や係止幅広部２８，３８，４８が視認可能に露出している構成を積極的に排除するものではない。
【符号の説明】
【００２８】
１                              扇子
１０，２０，３０，４０          扇片部材
１１，２１，３１，４１          本体部
１３                            被覆片部
１５，２５，３５                貫通孔部
２３，３３，４３                連結部
２７，３７，４７                ガイド帯板部
２８，３８，４８                係止幅広部
２９，３９，４９                開き方向規制部
５０                            回動軸部
【図１】
0003225079.tif 000003
【図２】
0003225079.tif 000004
【図３】
0003225079.tif 000005
【図４】
0003225079.tif 000006